(57)【要約】【課題】移動式ラックのレイアウト変更を容易にするとともに、移動式ラックを倒れにくくすることを目的とする。【解決手段】床面に設置される移動式ラックであって、第１H形鋼（１１）と、第２H形鋼（１２）と、第１H形鋼（１１）に支持された第１側フレーム部（１３）と、第２H形鋼（１２）に支持された第２側フレーム部（１４）と、棚板部（１５）とを有する。第１H形鋼（１１）及び第２H形鋼（１２）にはそれぞれ車輪（２５〜２８）及び高さ調整可能なアウトリガー（２１〜２４）が設けられている。アウトリガー（２１〜２４）が床面に接触すると移動式ラックの転倒が防止され、アウトリガー（２１〜２４）が床面から退避すると移動式ラックの移動が許容される。【選択図】図１
2019094156.tif 000002
【特許請求の範囲】
【請求項１】
床面に設置される移動式ラックであって、
第１上フランジ部と、第１下フランジ部と、前記第１上フランジ部及び前記第１下フランジ部を繋ぐ位置に形成された第１ウェブ部とを有する第１H形鋼と、
第２上フランジ部と、第２下フランジ部と、前記第２上フランジ部及び前記第２下フランジ部を繋ぐ位置に形成された第２ウェブ部とを有し、前記第１ウェブ部におけるウェブ面に対して前記第２ウェブ部におけるウェブ面が水平方向において対向するように配置された第２H形鋼と、
前記第１H形鋼の前記第１上フランジ部に締結固定されることにより、前記第１H形鋼に支持された第１側フレーム部と、
前記第２H形鋼の前記第２上フランジ部に締結固定されることにより、前記第２H形鋼に支持された第２側フレーム部と、
前記第１側フレーム部及び前記第２側フレーム部の上端に懸架された棚板部と、
前記第１下フランジ部の長手方向の一端部における前記第１ウェブ部の左右両側に夫々形成された貫通孔を貫通して上下に延びる一対の一端側第１ボルトと、
前記第１下フランジ部の長手方向の他端部における前記第１ウェブ部の左右両側に夫々形成された貫通孔を貫通して上下に延びる一対の他端側第１ボルトと、
前記第２下フランジ部の長手方向の一端部における前記第２ウェブ部の左右両側に夫々形成された貫通孔を貫通して上下に延びる一対の一端側第２ボルトと、
前記第２下フランジ部の長手方向の他端部における前記第２ウェブ部の左右両側に夫々形成された貫通孔を貫通して上下に延びる一対の他端側第２ボルトと、
前記一対の一端側第１ボルトの下端部に固定された平板状の金属からなる一端側第１アウトリガーと、
前記一対の他端側第１ボルトの下端部に固定された平板状の金属からなる他端側第１アウトリガーと、
前記一対の一端側第２ボルトの下端部に固定された平板状の金属からなる一端側第２アウトリガーと、
前記一対の他端側第２ボルトの下端部に固定された平板状の金属からなる他端側第２アウトリガーと、
前記第１下フランジ部における前記一端側第１ボルトの隣接した位置に取り付けられた一端側第１車輪と、
前記第１下フランジ部における前記他端側第１ボルトの隣接した位置に取り付けられた他端側第１車輪と、
前記第２下フランジ部における前記一端側第２ボルトの隣接した位置に取り付けられた一端側第２車輪と、
前記第２下フランジ部における前記他端側第２ボルトの隣接した位置に取り付けられた他端側第２車輪と、
を有し、
前記一端側第１アウトリガーは、前記一対の一端側第１ボルトを螺進させることにより、前記床面よりも上側の移動許容位置と前記床面に接触する転倒防止位置との間で進退可能であり、
前記他端側第１アウトリガーは、前記一対の他端側第１ボルトを螺進させることにより、前記床面よりも上側の移動許容位置と前記床面に接触する転倒防止位置との間で進退可能であり、
前記一端側第２アウトリガーは、前記一対の一端側第２ボルトを螺進させることにより、前記床面よりも上側の移動許容位置と前記床面に接触する転倒防止位置との間で進退可能であり、
前記他端側第２アウトリガーは、前記一対の他端側第２ボルトを螺進させることにより、前記床面よりも上側の移動許容位置と前記床面に接触する転倒防止位置との間で進退可能であることを特徴とする移動式ラック。
【請求項２】
前記第１H形鋼の長手方向視において、前記一端側第１アウトリガー及び前記他端側第１アウトリガーは、水平方向における寸法が、前記第１下フランジ部と同じであり、
前記第２H形鋼の長手方向視において、前記一端側第２アウトリガー及び前記他端側第２アウトリガーは、水平方向における寸法が、前記第２下フランジ部と同じであることを特徴とする請求項１に記載の移動式ラック。
【請求項３】
前記一端側第１ボルトには、前記第１下フランジ部を挟むように一対の一端側第１ナットが締結されており、
前記他端側第１ボルトには、前記第１下フランジ部を挟むように一対の他端側第１ナットが締結されており、
前記一端側第２ボルトには、前記第２下フランジ部を挟むように一対の一端側第２ナットが締結されており、
前記一端側第２ボルトには、前記第２下フランジ部を挟むように一対の他端側第２ナットが締結されていることを特徴とする請求項１又は２に記載の移動式ラック。
【請求項４】
前記一対の一端側第１ナットのうち上側の一端側第１ナットを回転不能に固定した状態で、下側の一端側第１ナットを回転させて、前記一端側第１ボルトを螺進させることにより、前記一端側第１アウトリガーを前記移動許容位置から前記転倒防止位置に移動させることが可能であり、
前記一対の他端側第１ナットのうち上側の他端側第１ナットを回転不能に固定した状態で、下側の他端側第１ナットを回転させて、前記他端側第１ボルトを螺進させることにより、前記他端側第１アウトリガーを前記移動許容位置から前記転倒防止位置に移動させることが可能であり、
前記一対の一端側第２ナットのうち上側の一端側第２ナットを回転不能に固定した状態で、下側の一端側第２ナットを回転させて、前記一端側第２ボルトを螺進させることにより、前記一端側第２アウトリガーを前記移動許容位置から前記転倒防止位置に移動させることが可能であり、
前記一対の他端側第２ナットのうち上側の他端側第２ナットを回転不能に固定した状態で、下側の他端側第２ナットを回転させて、前記他端側第２ボルトを螺進させることにより、前記他端側第２アウトリガーを前記移動許容位置から前記転倒防止位置に移動させることが可能であることを特徴とする請求項３に記載の移動式ラック。
【請求項５】
前記一対の一端側第１ナットのうち下側の一端側第１ナットを回転不能に固定した状態で、上側の一端側第１ナットを回転させて、前記一端側第１ボルトを螺進せることにより、前記一端側第１アウトリガーを前記転倒防止位置から前記移動許容位置に移動させることが可能であり、
前記一対の他端側第１ナットのうち下側の他端側第１ナットを回転不能に固定した状態で、上側の他端側第１ナットを回転させて、前記他端側第１ボルトを螺進させることにより、前記他端側第１アウトリガーを前記転倒防止位置から前記移動許容位置に移動させることが可能であり、
前記一対の一端側第２ナットのうち下側の一端側第２ナットを回転不能に固定した状態で、上側の一端側第２ナットを回転させて、前記一端側第２ボルトを螺進させることにより、前記一端側第２アウトリガーを前記転倒防止位置から前記移動許容位置に移動させることが可能であり、
前記一対の他端側第２ナットのうち下側の他端側第２ナットを回転不能に固定した状態で、上側の他端側第２ナットを回転させて、前記他端側第２ボルトを螺進させることにより、前記他端側第２アウトリガーを前記転倒防止位置から前記移動許容位置に移動させることが可能であることを特徴とする請求項３に記載の移動式ラック。
【発明の詳細な説明】
【技術分野】
【０００１】
本発明は、倉庫等に設置される移動式ラックに関するものである。
【背景技術】
【０００２】
倉庫などには、重量物保管用のラックが置かれており、フォークリフトなどによる入出庫管理が行われている。この種のラックには、重量物に耐え得る高い剛性が求められるため、一旦設置すると、容易にレイアウト変更することができない。そのため、通常ラックを倉庫などに置く前に、レイアウト設計を行い、当該設計に従った設置作業を行う必要がある。
【０００３】
しかしながら、保管物の種類、保管量などが変わり、レイアウト変更が必要となる場合がある。特許文献１には、固定ラック、移動ラック及び固定ラックに接続されたレールからなり、移動ラックがレールに沿って移動可能に設けられることを特徴とする多重式ラックが開示されている。
【先行技術文献】
【特許文献】
【０００４】
【特許文献１】実開平３−４２２３５号公報
【発明の概要】
【発明が解決しようとする課題】
【０００５】
特許文献１の構成では、移動ラックの移動領域がレールに沿った領域に限定されるため、レイアウト変更の自由度が低い。また、地震などにより加振された際に、レールに沿って移動ラックが搖動し、保管物が落下するおそれがある。
【０００６】
本願発明は、移動式ラックのレイアウト変更を容易にするとともに、移動式ラックを倒れにくくすることを目的とする。
【課題を解決するための手段】
【０００７】
上記課題を解決するために、本願発明は、床面に設置される移動式ラックであって、（１）第１上フランジ部（１１ａ）と、第１下フランジ部（１１ｂ）と、前記第１上フランジ部（１１ａ）及び前記第１下フランジ部（１１ｂ）を繋ぐ位置に形成された第１ウェブ部（１１ｃ）とを有する第１H形鋼（１１）と、第２上フランジ部（１２ａ）と、第２下フランジ部（１２ｂ）と、前記第２上フランジ部（１２ａ）及び前記第２下フランジ部（１２ｂ）を繋ぐ位置に形成された第２ウェブ部（１２ｃ）とを有し、前記第１ウェブ部（１１ｃ）におけるウェブ面に対して前記第２ウェブ部（１２ｃ）におけるウェブ面が水平方向において対向するように配置された第２H形鋼（１２）と、前記第１H形鋼（１１）の前記第１上フランジ部（１１ａ）に締結固定されることにより、前記第１H形鋼（１１）に支持された第１側フレーム部（１３）と、前記第２H形鋼（１２）の前記第２上フランジ部（１２ａ）に締結固定されることにより、前記第２H形鋼（１２）に支持された第２側フレーム部（１４）と、前記第１側フレーム部（１３）及び前記第２側フレーム部（１４）の上端に懸架された棚板部（１５）と、前記第１下フランジ部（１１ｂ）の長手方向の一端部における前記第１ウェブ部（１１ｃ）の左右両側に夫々形成された貫通孔を貫通して上下に延びる一対の一端側第１ボルト（１６）と、前記第１下フランジ部（１１ｂ）の長手方向の他端部における前記第１ウェブ部（１１ｃ）の左右両側に夫々形成された貫通孔を貫通して上下に延びる一対の他端側第１ボルト（１７）と、前記第２下フランジ部（１２ｂ）の長手方向の一端部における前記第２ウェブ部（１２ｃ）の左右両側に夫々形成された貫通孔を貫通して上下に延びる一対の一端側第２ボルト（１８）と、前記第２下フランジ部（１２ｂ）の長手方向の他端部における前記第２ウェブ部（１２ｃ）の左右両側に夫々形成された貫通孔を貫通して上下に延びる一対の他端側第２ボルト（１９）と、前記一対の一端側第１ボルト（１６）の下端部に固定された平板状の金属からなる一端側第１アウトリガー（２１）と、前記一対の他端側第１ボルト（１７）の下端部に固定された平板状の金属からなる他端側第１アウトリガー（２２）と、前記一対の一端側第２ボルト（１８）の下端部に固定された平板状の金属からなる一端側第２アウトリガー（２３）と、前記一対の他端側第２ボルト（１９）の下端部に固定された平板状の金属からなる他端側第２アウトリガー（２４）と、前記第１下フランジ部（１１ｂ）における前記一端側第１ボルト（１６）の隣接した位置に取り付けられた一端側第１車輪（２５）と、前記第１下フランジ部（１１ｂ）における前記他端側第１ボルト（１７）の隣接した位置に取り付けられた他端側第１車輪（２６）と、前記第２下フランジ部（１２ｂ）における前記一端側第２ボルト（１８）の隣接した位置に取り付けられた一端側第２車輪（２７）と、前記第２下フランジ部（１２ｂ）における前記他端側第２ボルト（１９）の隣接した位置に取り付けられた他端側第２車輪（２８）と、を有し、前記一端側第１アウトリガー（２１）は、前記一対の一端側第１ボルト（１６）を螺進させることにより、前記床面よりも上側の移動許容位置と前記床面に接触する転倒防止位置との間で進退可能であり、前記他端側第１アウトリガー（２２）は、前記一対の他端側第１ボルト（１７）を螺進させることにより、前記床面よりも上側の移動許容位置と前記床面に接触する転倒防止位置との間で進退可能であり、前記一端側第２アウトリガー（２３）は、前記一対の一端側第２ボルト（１８）を螺進させることにより、前記床面よりも上側の移動許容位置と前記床面に接触する転倒防止位置との間で進退可能であり、前記他端側第２アウトリガー（２４）は、前記一対の他端側第２ボルト（１９）を螺進させることにより、前記床面よりも上側の移動許容位置と前記床面に接触する転倒防止位置との間で進退可能であることを特徴とする。
【０００８】
（２）前記第１H形鋼（１１）の長手方向視において、前記一端側第１アウトリガー（２１）及び前記他端側第１アウトリガー（２２）は、水平方向における寸法が、前記第１下フランジ部（１１ｂ）と同じであり、前記第２H形鋼（１２）の長手方向視において、前記一端側第２アウトリガー（２３）及び前記他端側第２アウトリガー（２４）は、水平方向における寸法が、前記第２下フランジ部（１２ｂ）と同じであることを特徴とする上記（１）に記載の移動式ラック。
【０００９】
（３）前記一端側第１ボルト（１６）には、前記第１下フランジ部（１１ｂ）を挟むように一対の一端側第１ナット（１６ａ、１６ｃ）が締結されており、前記他端側第１ボルト（１７）には、前記第１下フランジ部（１１ｂ）を挟むように一対の他端側第１ナット（１７ａ、１７ｃ）が締結されており、前記一端側第２ボルト（１８）には、前記第２下フランジ部（１２ｂ）を挟むように一対の一端側第２ナット（１８ａ、１８ｃ）が締結されており、前記一端側第２ボルト（１９）には、前記第２下フランジ部（１２ｂ）を挟むように一対の他端側第２ナット（１９ａ、１９ｃ）が締結されていることを特徴とする上記（１）又は（２）に記載の移動式ラック。
【００１０】
（４）前記一対の一端側第１ナット（１６ａ、１６ｃ）のうち上側の一端側第１ナット（１６ａ）を回転不能に固定した状態で、下側の一端側第１ナット（１６ｃ）を回転させて、前記一端側第１ボルト（１６）を螺進させることにより、前記一端側第１アウトリガー（２１）を前記移動許容位置から前記転倒防止位置に移動させることが可能であり、前記一対の他端側第１ナット（１７ａ、１７ｃ）のうち上側の他端側第１ナット（１７ａ）を回転不能に固定した状態で、下側の他端側第１ナット（１７ｃ）を回転させて、前記他端側第１ボルト（１７）を螺進させることにより、前記他端側第１アウトリガー（２２）を前記移動許容位置から前記転倒防止位置に移動させることが可能であり、前記一対の一端側第２ナット（１８ａ、１８ｃ）のうち上側の一端側第２ナット（１８ａ）を回転不能に固定した状態で、下側の一端側第２ナット（１８ｃ）を回転させて、前記一端側第２ボルト（１８）を螺進させることにより、前記一端側第２アウトリガー（２３）を前記移動許容位置から前記転倒防止位置に移動させることが可能であり、前記一対の他端側第２ナット（１９ａ、１９ｃ）のうち上側の他端側第２ナット（１９ａ）を回転不能に固定した状態で、下側の他端側第２ナット（１９ｃ）を回転させて、前記他端側第２ボルト（１９）を螺進させることにより、前記他端側第２アウトリガー（２４）を前記移動許容位置から前記転倒防止位置に移動させることが可能であることを特徴とする上記（３）に記載の移動式ラック。
【００１１】
（５）前記一対の一端側第１ナット（１６ａ、１６ｃ）のうち下側の一端側第１ナット（１６ｃ）を回転不能に固定した状態で、上側の一端側第１ナット（１６ａ）を回転させて、前記一端側第１ボルト（１６）を螺進せることにより、前記一端側第１アウトリガー（２１）を前記転倒防止位置から前記移動許容位置に移動させることが可能であり、前記一対の他端側第１ナット（１７ａ、１７ｃ）のうち下側の他端側第１ナット（１７ｃ）を回転不能に固定した状態で、上側の他端側第１ナット（１７ａ）を回転させて、前記他端側第１ボルト（１７）を螺進させることにより、前記他端側第１アウトリガー（２２）を前記転倒防止位置から前記移動許容位置に移動させることが可能であり、前記一対の一端側第２ナット（１８ａ、１８ｃ）のうち下側の一端側第２ナット（１８ｃ）を回転不能に固定した状態で、上側の一端側第２ナット（１８ａ）を回転させて、前記一端側第２ボルト（１８）を螺進させることにより、前記一端側第２アウトリガー（２３）を前記転倒防止位置から前記移動許容位置に移動させることが可能であり、前記一対の他端側第２ナット（１９ａ、１９ｃ）のうち下側の他端側第２ナット（１９ｃ）を回転不能に固定した状態で、上側の他端側第２ナット（１９ａ）を回転させて、前記他端側第２ボルト（１９）を螺進させることにより、前記他端側第２アウトリガー（２４）を前記転倒防止位置から前記移動許容位置に移動させることが可能であることを特徴とする上記（３）に記載の移動式ラック。
【発明の効果】
【００１２】
本願発明によれば、一端側第１アウトリガー、他端側第１アウトリガー、一端側第２アウトリガーと及び他端側第２アウトリガーを移動許容位置に上動させることにより、一端側第１車輪、他端側第１車輪、一端側第２車輪及び他端側第２車輪を使って、移動式ラックを動かすことができる。これにより、レイアウトの変更を容易に行うことができる。
【００１３】
また、一端側第１アウトリガー、他端側第１アウトリガー、一端側第２アウトリガーと及び他端側第２アウトリガーを転倒防止位置に下動させることにより、これらのアウトリガーによって移動式ラックを支持でき、移動式ラックを倒れにくくすることができる。
【図面の簡単な説明】
【００１４】
【図１】移動式ラックの右側側面図である。
【図２】図１における破線Ａの拡大図である（移動許容位置）。
【図３】移動式ラックの正面図である。
【図４】図３における破線Ｂの拡大図である。
【図５】図２に対応する拡大図である（転倒防止位置）。
【発明を実施するための形態】
【００１５】
図１は、移動式ラックの右側側面図である。本実施形態体の移動式ラックは、左右対称の形状を呈しており、移動式ラックの左側側面図は右側側面図と同一に表れるから省略する。図１では、左側側面図に表われる要素の符号を括弧書きで示している。Ｘ軸、Ｙ軸及びＺ軸は互いに直交する三軸であり、Ｘ軸、Ｙ軸及びＺ軸の定義は他の図面においても同様である。図２は、図１の破線Ａ内側の移動式ラックの一部における拡大図である。図３は、移動式ラックの正面図である。図４は、図３の破線Ｂ内側の移動式ラックの一部における拡大図である。図４に対応する第２H形鋼側の図は、図４と同一に表れるから省略する。
【００１６】
これらの図を参照して、移動式ラック１は、第１H形鋼１１と、第２H形鋼１２と、第１側フレーム部１３と、第２側フレーム部１４と、棚板部１５と、一対の一端側第１ボルト１６と、一対の他端側第１ボルト１７と、一対の一端側第２ボルト１８と、一対の他端側第２ボルト１９と、一端側第１アウトリガー２１と、他端側第１アウトリガー２２と、一端側第２アウトリガー２３と、他端側第２アウトリガー２４と、一端側第１車輪２５と、他端側第１車輪２６と、一端側第２車輪２７と、他端側第２車輪２８とを含む。
【００１７】
第１H形鋼１１（第２H形鋼１２）は、第１上フランジ部１１ａ（第２上フランジ部１２ａ）と、第１下フランジ部１１ｂ（第２下フランジ部１２ｂ）と、第１上フランジ部１１ａ（第２上フランジ部１２ａ）及び第１下フランジ部１１ｂ（第２下フランジ部１２ｂ）を繋ぐ位置に形成された第１ウェブ部１１ｃ（第２ウェブ部１２ｃ）とを有する。図３に図示するように、第１H形鋼１１及び第２H形鋼１２は、第１ウェブ部１１ｃ及び第２ウェブ部１２ｃがＹ軸方向において対向するように平行に設置されている。
【００１８】
第１H形鋼１１（第２H形鋼１２）を用いることにより、移動式ラック１の剛性を高めることができる。本実施形態の第１H形鋼１１（第２H形鋼１２）では、第１ウェブ部１１ｃ（第２ウェブ部１２ｃ）の厚みが第１上フランジ部１１ａ（第２上フランジ部１２ａ）及び第１下フランジ部１１ｂ（第２下フランジ部１２ｂ）の厚みよりも小さく形成されている（図４参照）。
【００１９】
一端側第１ボルト１６は、第１下フランジ部１１ｂにおける長手方向一端側の第１ウェブ部１１ｃの左右両側にそれぞれ設けられている（図４参照）。すなわち、第１下フランジ部１１ｂの長手方向における一端側には、一対の貫通形状の穴部が形成されており、これらの穴部の内面に形成されたねじ溝部に各一端側第１ボルト１６が螺合している。各一端側第１ボルト１６は、第１下フランジ部１１ｂの上面及び下面から突出して上下方向に延びている。
【００２０】
一端側第１ボルト１６のうち第１下フランジ部１１ｂの上側に突出した上側ボルト突出部にはナット１６ａが締結されており、このナット１６ａはワッシャ１６ｂを第１下フランジ部１１ｂの上面に向かって押圧している。一端側第１ボルト１６のうち第１下フランジ部１１ｂの下側に突出した下側ボルト突出部にはナット１６ｃが締結されており、このナット１６ｃはワッシャ１６ｄを第１下フランジ部１１ｂの下面に向かって押圧している。つまり、ナット１６ａ及びナット１６ｃは第１下フランジ部１１ｂを挟む位置に配置されている。なお、ナット１６ａ及びナット１６ｃによって、請求項３に記載の「一対の一端側第１ナット」が構成される。
【００２１】
一端側第１アウトリガー２１は、平板形状の金属からなり、Ｙ軸方向における寸法が第１上フランジ部１１ａ及び第１下フランジ部１１ｂと略同じに設定されている。金属には、例えばＳＳ４００（一般構造用圧延鋼材）を用いることができる。一端側第１アウトリガー２１の上面には、左右一対の有底筒状のボルト固定部２１ａが設けられており、このボルト固定部２１ａの内面に形成されたねじ溝部に一端側第１ボルト１６の下端部が螺合している。
【００２２】
他端側第１ボルト１７は、第１下フランジ部１１ｂにおける長手方向他端側の第１ウェブ部１１ｃの左右両側にそれぞれ設けられている。他端側第１ボルト１７に取り付けられたナット１７ａ、ワッシャ１７ｂ、ナット１７ｃ、ワッシャ１７ｄ、他端側第１アウトリガー２２及びボルト固定部２２ａの構成及び機能は、一端側第１ボルト１６に取り付けられたナット１６ａ、ワッシャ１６ｂ、ナット１６ｃ、ワッシャ１６ｄ、一端側第１アウトリガー２１及びボルト固定部２１ａと同じであるから、説明を繰り返さない。なお、ナット１７ａ、ワッシャ１７ｂ、ナット１７ｃ、ワッシャ１７ｄ及びボルト固定部２２ａの符号は、図面が煩雑となるため、図示しない。ナット１７ａ及びナット１７ｃによって、請求項３に記載の「一対の他端側第１ナット」が構成される。
【００２３】
一端側第２ボルト１８は、第２下フランジ部１２ｂにおける長手方向一端側の第２ウェブ部１２ｃの左右両側にそれぞれ設けられている（図３等参照）。一端側第２ボルト１８に取り付けられたナット１８ａ、ワッシャ１８ｂ、ナット１８ｃ、ワッシャ１８ｄ、一端側第２アウトリガー２３及びボルト固定部２３ａの構成及び機能は、一端側第１ボルト１６に取り付けられたナット１６ａ、ワッシャ１６ｂ、ナット１６ｃ、ワッシャ１６ｄ、一端側第１アウトリガー２１及びボルト固定部２１ａと同じであるから、説明を繰り返さない。なお、ナット１８ａ、ワッシャ１８ｂ、ナット１８ｃ、ワッシャ１８ｄ及びボルト固定部２３ａの符号は、図面が煩雑となるため、図示しない。ナット１８ａ及びナット１８ｃによって、請求項３に記載の「一対の一端側第２ナット」が構成される。
【００２４】
他端側第２ボルト１９は、第２下フランジ部１２ｂにおける長手方向他端側の第２ウェブ部１２ｃの左右両側にそれぞれ設けられている。他端側第２ボルト１９に取り付けられたナット１９ａ、ワッシャ１９ｂ、ナット１９ｃ、ワッシャ１９ｄ、他端側第２アウトリガー２４及びボルト固定部２４ａの構成及び機能は、一端側第１ボルト１６に取り付けられたナット１６ａ、ワッシャ１６ｂ、ナット１６ｃ、ワッシャ１６ｄ、一端側第１アウトリガー２１及びボルト固定部２１ａと同じであるから、説明を繰り返さない。なお、ナット１９ａ、ワッシャ１９ｂ、ナット１９ｃ、ワッシャ１９ｄ及びボルト固定部２４ａの符号は、図面が煩雑となるため、図示しない。ナット１９ａ及びナット１９ｃによって、請求項３に記載の「一対の他端側第２ナット」が構成される。
【００２５】
図２を参照して、一端側第１車輪２５は、Ｙ軸方向に延びる軸部２５ａを有しており、軸部２５ａから延出する車輪フレーム２５ｂは、ボルト２５ｃ、ナット２５ｄ，ｅからなる締結部材によって第１下フランジ部１１ｂに締結固定されている。一端側第１車輪２５及び一端側第１アウトリガー２１は、Ｘ軸方向において隣接配置されている。
【００２６】
他端側第１車輪２６における軸部２６ａ、車輪フレーム２６ｂ、ボルト２６ｃ、ナット２６ｄ，ｅの構成及び機能は、一端側第１車輪２５における軸部２５ａ、車輪フレーム２５ｂ、ボルト２５ｃ、ナット２５ｄ，ｅと同じであるから、説明を繰り返さない。なお、軸部２６ａ、車輪フレーム２６ｂ、ボルト２６ｃ、ナット２６ｄ，ｅの符号は、図面が煩雑となるため、図示しない。
【００２７】
一端側第２車輪２７における軸部２７ａ、車輪フレーム２７ｂ、ボルト２７ｃ、ナット２７ｄ，ｅの構成及び機能は、一端側第１車輪２５における軸部２５ａ、車輪フレーム２５ｂ、ボルト２５ｃ、ナット２５ｄ，ｅと同じであるから、説明を繰り返さない。なお、軸部２７ａ、車輪フレーム２７ｂ、ボルト２７ｃ、ナット２７ｄ，ｅの符号は、図面が煩雑となるため、図示しない。
【００２８】
他端側第２車輪２８における軸部２８ａ、車輪フレーム２８ｂ、ボルト２８ｃ、ナット２８ｄ，ｅの構成及び機能は、一端側第１車輪２５における軸部２５ａ、車輪フレーム２５ｂ、ボルト２５ｃ、ナット２５ｄ，ｅと同じであるから、説明を繰り返さない。なお、軸部２８ａ、車輪フレーム２８ｂ、ボルト２８ｃ、ナット２８ｄ，ｅの符号は、図面が煩雑となるため、図示しない。
【００２９】
図１を参照して、第１側フレーム部１３は、金属により構成されており、Ｚ軸方向に延びる一対の支柱フレーム１３ｇと、Ｘ軸方向に延びる複数の梁フレーム１３ａ〜１３ｄと、Ｘ軸及びＺ軸に対して約４５度傾斜した傾斜方向に延びる複数の筋交いフレーム１３ｅ〜１３ｆとを含む。金属には、例えば、ＳＴＫ鋼管（一般構造用炭素鋼鋼管）を用いることができる。
【００３０】
梁フレーム１３ａは一対の支柱フレーム１３ｇの下端側に懸架されており、両端部が一対の支柱フレーム１３ｇから延びる腕部１３ｇ１に締結固定されている。すなわち、梁フレーム１３ａの両端をプレスにより潰した後、ボルト締結穴を形成するとともに、このボルト締結穴にボルトを挿通することにより、腕部１３ｇ１及び梁フレーム１３ａを締結固定することができる。梁フレーム１３ｄは、一対の支柱フレーム１３ｇの上端側に懸架されており、両端部が一対の支柱フレーム１３ｇから延びる腕部１３ｇ２に締結固定されている。梁フレーム１３ｂは、梁フレーム１３ａ及び１３ｄの間に位置しており、一対の支柱フレーム１３ｇに懸架されている。梁フレーム１３ｂの両端部は、一対の支柱フレーム１３ｇから延びる腕部１３ｇ３に締結固定されている。梁フレーム１３ｃは、梁フレーム１３ｂ及び１３ｄの間に位置しており、一対の支柱フレーム１３ｇに懸架されている。梁フレーム１３ｃの両端部は、一対の支柱フレーム１３ｇから延びる腕部１３ｇ４に締結固定されている。
【００３１】
筋交いフレーム１３ｅは、一端が腕部１３ｇ１に締結固定され、他端が腕部１３ｇ３に締結固定されている。筋交いフレーム１３ｆは、一端が腕部１３ｇ３に締結固定され、他端が腕部１３ｇ４に締結固定されている。
【００３２】
図２を参照して、一方の支柱フレーム１３ｇの下端部には、Ｘ軸方向に延出する延出取付板１３ｇＸが形成されており、この延出取付板１３ｇＸは、ボルト４１ａ、ナット４１ｂ，４１ｃを用いて第１上フランジ部１１ａに締結固定されている。
【００３３】
他方の支柱フレーム１３ｇの下端部には、Ｘ軸方向の反対方向に延出する延出取付板１３ｇＸが形成されており、この延出取付板１３ｇＸは、第１上フランジ部１１ａの締結位置に締結固定されている。
【００３４】
第２H形鋼１２に支持される第２側フレーム部１４の構成は、第１側フレーム部１３と同一であるから詳細な説明を省略する。
【００３５】
図１及び図３を参照して、棚板部１５は、第１側フレーム部１３及び第２側フレーム部１４の上端部に懸架されている。棚板部１５と第１側フレーム部１３とが交わる直角部には、補強リブ１５ａが設けられている。棚板部１５と第２側フレーム部１４とが交わる直角部にも、補強リブ１５ａが設けられている。補強リブ１５ａが設けられることにより、棚板部１５の耐荷重性を高めることができる。棚板部１５の上には、フォークリフトなどを用いて荷物を載置することができる。
【００３６】
本実施形態の移動式ラック１によれば、第１側フレーム部１３、第２側フレーム部１４及び棚板部１５によって囲まれたコの字形状のスペース（図３参照）にラックなどを設置することができる。また、棚板部１５の上に荷物を保管できるため、狭い倉庫の上部スペースを有効に活用することができる。
【００３７】
また、第１側フレーム部１３及び第２側フレーム部１４に梁や筋交いを配設するとともに、これらを堅牢な第１H形鋼１１及び第２H形鋼１２により支持しているため、棚板部１５の耐荷重性を高めることができる。これにより、棚板部１５により重い荷物を置くことができる。
【００３８】
本実施形態の移動式ラック１によれば、部品同士をボルト及びナットを用いた締結手段により連結しているため、部品交換が容易となる。すなわち、ボルト及びナットの締結及び締結解除により部品交換できるため、連結手段として溶接を用いた場合と比較して、部品交換を簡単に行うことができる。
【００３９】
次に、移動式ラックの移動方法及び固定方法について説明する。図２に図示するように、
一端側第１アウトリガー２１、他端側第１アウトリガー２２、一端側第２アウトリガー２３及び他端側第２アウトリガー２４が床面よりも上方の移動許容位置に退避している場合には、移動式ラック１を押して、一端側第１車輪２５、他端側第１車輪２６、一端側第２車輪２７及び他端側第２車輪２８を回転させることにより、移動式ラック１を移動させることができる。これにより移動式ラック１のレイアウト変更を容易に行うことができる。
レールなどを使ってラックを移動させる従来の方式では、レールを敷設する作業が必要となるため、これと比較して、レイアウト変更を容易に行うことができる。
【００４０】
また、保管場所の形状が変形している場合でも、空きが少なくなるように複数の移動式ラック１を適宜の位置に移設することにより、デットスペースを少なくすることができる。
【００４１】
図５は、図２に対応しており、一端側第１アウトリガー２１を移動許容位置から転倒防止位置に移動させた直後の移動式ラックの一部における拡大図である。図２に図示する状態において、レンチ等の工具を用いて上側のナット１６ａを回転不能に固定した状態で、下側のナット１６ｃを回転させて、一端側第１ボルト１６を螺進させることにより、一端側第１アウトリガー２１を下動させることができる。ここで、螺進とは一端側第１ボルト１６がねじ溝に案内されて軸方向に進むことを意味する。ナット１６ｃをさらに回転させると、図５に図示するように、一端側第１アウトリガー２１を床面に当接させる（つまり、転倒防止位置に移動させる）ことができる。これにより、移動式ラック１を一端側第１アウトリガー２１により支持することができる。
【００４２】
他端側第１アウトリガー２２も同様に上側のナット１７ａを回転不能に固定した状態で、下側のナット１７ｃを回転させることにより、移動許容位置から転倒防止位置に移動させることができる。一端側第２アウトリガー２３も同様に上側のナット１８ａを回転不能に固定した状態で、下側のナット１８ｃを回転させることにより、移動許容位置から転倒防止位置に移動させることができる。他端側第２アウトリガー２４も同様に上側のナット１９ａを回転不能に固定した状態で、下側のナット１９ｃを回転させることにより、移動許容位置から転倒防止位置に移動させることができる。
【００４３】
このように、一端側第１アウトリガー２１、他端側第１アウトリガー２２、一端側第２アウトリガー２３及び他端側第２アウトリガー２４を転倒防止位置に下動させて、床面に接触させることにより、移動式ラック１を摩擦力により固定することができる。
【００４４】
さらに、一端側第１アウトリガー２１、他端側第１アウトリガー２２、一端側第２アウトリガー２３及び他端側第２アウトリガー２４により、移動式ライナー１を面で支持しているため、移動式ライナー１を倒れにくくすることができる。
【００４５】
一方、一端側第１アウトリガー２１を転倒防止位置から移動許容位置に移動させる場合には、レンチ等の工具を用いて下側のナット１６ｃを回転不能に固定した状態で、上側のナット１６ａを回転させればよい。他端側第１アウトリガー２２、一端側第２アウトリガー２３及び他端側第２アウトリガー２４についても、同様の方法により転倒防止位置から移動許容位置に移動させることができる。
【００４６】
図４に図示するように、本実施形態では、ボルト１６の先端直上に第１H形鋼１１の第１上フランジ部１１ａが位置しているため、移動式ラック１の外側からボルト１６の先端に触れにくくなっている。これにより、作業者がボルト１６の先端に接触して怪我することを防止できる。このように、本実施形態によれば、第１上フランジ部１１ａ及び第１下フランジ部１１ｂに挟まれた空間をボルト１６の長さを調整するための調整スペースとして利用するとともに、作業者の安全を確保するためのボルト収容スペースとして利用することができる。
【００４７】
また、一端側第１アウトリガー２１、他端側第１アウトリガー２２、一端側第２アウトリガー２３及び他端側第２アウトリガー２４はH形鋼に取り付けられているため、移動式ラック１の固定構造を堅牢にすることができる。
【００４８】
ここで、本実施形態の移動式ラック１は、傾斜した床面にも設置することができる。すなわち、一端側第１アウトリガー２１、他端側第１アウトリガー２２、一端側第２アウトリガー２３及び他端側第２アウトリガー２４は、高さ位置を独立して調節できるため、床面の傾斜角度に応じて各アウトリガーの高さを変えることにより、傾斜した床面に対して移動式ラック１を水平に固定することができる。
【００４９】
例えば、床面が一端側第１アウトリガー２１から他端側第１アウトリガー２２に向かって下斜方向に傾斜している場合には、一端側第１アウトリガー２１よりも他端側第１アウトリガー２２の突き出し長さ（第１H形鋼１１からの突き出し長さ）を長くすることにより、移動式ラック１を水平に固定することができる。
【００５０】
（変形例１）
移動式ラック１の第１側フレーム部１３及び／又は第２側フレーム部１４に対して、棚板部１５及び床面を繋ぐ階段を取り付けることもできる。この場合、作業者は階段を使って、棚板部１５に荷物を運び上げることができる。
【００５１】
（変形例２）
棚板部１５の外周に沿って、落下防止バーを取り付けてもよい。
【符号の説明】
【００５２】
１  移動式ラック    １１ａ  第１上フランジ部    １１ｂ  第１下フランジ部
１１ｃ  第１ウェブ部    １１  第１H形鋼    １２ａ  第２上フランジ部
１２ｂ  第２下フランジ部    １２ｃ  第２ウェブ部    １２  第２H形鋼
１３  第１側フレーム部    １４  第２側フレーム部    １５  棚板部
１６  一対の一端側第１ボルト    １７  一対の他端側第１ボルト
１８  一対の一端側第２ボルト    １９  一対の他端側第２ボルト
２１  一端側第１アウトリガー    ２２  他端側第１アウトリガー
２３  一端側第２アウトリガー    ２４  他端側第２アウトリガー
２５  一端側第１車輪    ２６  他端側第１車輪    ２７  一端側第２車輪
２８  他端側第２車輪
１６ａ，１６ｃ，１７ａ，１７ｃ，１８ａ，１８ｃ，１９ａ，１９ｃ    ナット
【図１】
2019094156.tif 000003
【図２】
2019094156.tif 000004
【図３】
2019094156.tif 000005
【図４】
2019094156.tif 000006
【図５】
2019094156.tif 000007